(57)【要約】【課題】ｐＨ調整槽を構成するｐＨ計の標準液校正を、容易に行えるようにする。【解決手段】ｐＨ計１を、その電極１ａをｐＨ計量槽にある処理水Ｗに漬ける計量ポジション、この電極１ａを前記処理水Ｗの液面Ｗａ上に位置させる洗浄ポジション、及びこの電極１ａを洗浄ポジションよりも上方に位置させる校正ポジションのいずれか一つのポジションに位置づけさせると共に、各ポジション間に亘る上下動可能に支持する昇降支持手段２と、標準液の供給手段３と、標準液の受けカップ体４と、洗浄ポジションに電極１ａがあるときにこの電極１ａ及び受けカップ体４に対し洗浄水を噴射する洗浄手段５とを備えている。【選択図】図１
2012026904.tif 000002
【特許請求の範囲】
【請求項１】
排水の処理ラインを構成するｐＨ調整槽の下流に位置して処理水の水素イオン指数を計量するｐＨ計量槽であって、
ｐＨ計と、
このｐＨ計を、少なくとも、その下端部に位置される電極をｐＨ計量槽にある処理水に漬ける計量ポジション、
この電極を前記処理水の液面上に位置させる洗浄ポジション、
及びこの電極を洗浄ポジションよりも上方に位置させる校正ポジションのいずれか一つのポジションに位置づけさせると共に、各ポジション間に亘る上下動可能に支持する昇降支持手段と、
前記電極に対する標準液校正をなすための標準液の供給手段と、
この標準液の受けカップ体と、
前記洗浄ポジションに電極があるときにこの電極及び受けカップ体に対し洗浄水を噴射する洗浄手段とを備えており、
前記受けカップ体は、前記電極の移動軌跡の側方において水平軸をもって、カップ開口を横に向けた下降位置からカップ開口を上方に向けた上昇位置との間に亘る回動可能に、支持されており、
この受けカップ体のカップ開口は、前記電極が計量ポジションと洗浄ポジションにあるときは前記移動軌跡の側方に位置されると共に、
前記電極が校正ポジションに移動したときに下降位置にある受けカップ体が上昇位置に回動してこの受けカップ体内に電極が位置されるようになっていることを特徴とする排水の処理ラインを構成するｐＨ計量槽。
【請求項２】
水平軸を挟んだ一方側にこの水平軸の他方側に位置される受けカップ体と一体をなすウエイト体が備えられていると共に、
計量ポジション及び洗浄ポジションにおいてｐＨ計側の一部が受けカップ体側の一部に当接してウエイト体を受けカップ体よりも上方に位置させるようにして受けカップ体が位置づけられ、且つ、洗浄ポジションにある電極が校正ポジションに上昇する過程において前記当接が解かれるようになっていることを特徴とする請求項１に記載の排水の処理ラインを構成するｐＨ計量槽。
【発明の詳細な説明】
【技術分野】
【０００１】
この発明は、排水の処理ラインを構成するｐＨ調整槽の下流に位置してこのｐＨ調整槽において処理された処理水の水素イオン指数（ｐＨ）を計量するｐＨ計量槽に関する。
【背景技術】
【０００２】
排水の処理システムを構成する処理ラインにおいては、ｐＨ調整槽の下流にこのｐＨ調整槽において処理された処理水の水素イオン指数（ｐＨ）を計量するｐＨ計量槽が配される。このｐＨの計量は、ガラス電極法に基づくｐＨ計を利用して行われている。かかるｐＨ計にあっては、定期的な標準液校正が不可欠とされる。この標準液校正は、ｐＨ計の電極をｐＨの異なる二種類の標準液に侵漬してなされる。したがって、この標準液校正にあたっては、槽からｐＨ計を取り外し、電極を洗浄して一種類目の標準液に電極を侵漬させ、次いで、再び電極を洗浄して二種類目の標準液に電極を侵漬させ、この後、ｐＨ計を槽に再びセッティングするという作業を余儀なくされていた。
【発明の概要】
【発明が解決しようとする課題】
【０００３】
この発明が解決しようとする主たる問題点は、この種の処理ラインにおけるｐＨ調整槽を構成するｐＨ計の標準液校正を、容易に行えるようにする点にある。
【課題を解決するための手段】
【０００４】
前記課題を達成するために、この発明にあっては、ｐＨ計量槽を、排水の処理ラインを構成するｐＨ調整槽の下流に位置して処理水の水素イオン指数を計量するｐＨ計量槽であって、
ｐＨ計と、
このｐＨ計を、少なくとも、その下端部に位置される電極をｐＨ計量槽にある処理水に漬ける計量ポジション、
この電極を前記処理水の液面上に位置させる洗浄ポジション、
及びこの電極を洗浄ポジションよりも上方に位置させる校正ポジションのいずれか一つのポジションに位置づけさせると共に、各ポジション間に亘る上下動可能に支持する昇降支持手段と、
前記電極に対する標準液校正をなすための標準液の供給手段と、
この標準液の受けカップ体と、
前記洗浄ポジションに電極があるときにこの電極及び受けカップ体に対し洗浄水を噴射する洗浄手段とを備えており、
前記受けカップ体は、前記電極の移動軌跡の側方において水平軸をもって、カップ開口を横に向けた下降位置からカップ開口を上方に向けた上昇位置との間に亘る回動可能に、支持されており、
この受けカップ体のカップ開口は、前記電極が計量ポジションと洗浄ポジションにあるときは前記移動軌跡の側方に位置されると共に、
前記電極が校正ポジションに移動したときに下降位置にある受けカップ体が上昇位置に回動してこの受けカップ体内に電極が位置されるようになっているものとした。
【０００５】
ｐＨ計の電極に対する標準液校正の必要が生じたとき、典型的には直近の標準液校正をしたときから一定期間が経過したときは、ｐＨ計量槽への処理水の流入を停止させた状態から、先ず、昇降支持手段により計量ポジションに支持していたｐＨ計を洗浄ポジションに移動させる。次に、洗浄手段によりｐＨ計の電極及び下降位置にある受けカップ体に洗浄水を噴射して両者を洗浄する。下降位置において受けカップ体はカップ開口を横に向けるので受けカップ体内を洗浄した洗浄水は受けカップ体内に残らずに流下される。次に、昇降支持手段により洗浄ポジションに支持していたｐＨ計を校正ポジションに移動させる。次に標準液を供給する。ｐＨ計が校正ポジションにあるとき受けカップ体はカップ開口を上方に向けた上昇位置に移行し、受けカップ体内に前記電極を位置させることから、受けカップ体内に供給される標準液を蓄えると共に、この標準液に電極を侵漬させる。標準液校正は二種類の標準液に電極を侵漬させてなすことから、一種類目の標準液に電極を侵漬させた後は、昇降支持手段により校正ポジションに支持していたｐＨ計を洗浄ポジションに移動させる。そして、洗浄手段によりｐＨ計の電極及び下降位置にある受けカップ体に洗浄水を噴射して両者を洗浄する。この後、再び、昇降支持手段により洗浄ポジションに支持していたｐＨ計を校正ポジションに移動させ二種類目の標準液を供給しこの二種類目の標準液に電極を侵漬させる。これにより標準液校正が完了される。次いで、昇降支持手段により校正ポジションに支持していたｐＨ計を洗浄ポジションに移動させ再び洗浄手段によりｐＨ計の電極及び下降位置にある受けカップ体に洗浄水を噴射して両者を洗浄する。最後に昇降支持手段により洗浄ポジションに支持していたｐＨ計を計量ポジションに移動させこれにより初期状態への復帰がなされる。
【０００６】
前記水平軸を挟んだ一方側にこの水平軸の他方側に位置される受けカップ体と一体をなすウエイト体を備えさせておくと共に、計量ポジション及び洗浄ポジションにおいてｐＨ計側の一部が受けカップ体側の一部に当接してウエイト体を受けカップ体よりも上方に位置させるようにして受けカップ体が位置づけられ、且つ、洗浄ポジションにある電極が校正ポジションに上昇する過程において前記当接が解かれるようにしておくこともある。このようにしておけば、かかる受けカップ体の回動を別段の動力を必要とせずにｐＨ計の上下動に連動して確実になさしめることができる。
【発明の効果】
【０００７】
この発明によれば、排水の処理ラインにおけるｐＨ調整槽を構成するｐＨ計の標準液校正を、ｐＨ計の取り外しなどを要することなく容易に行なうことができ、したがって、この標準液校正を自動化させることができる。
【図面の簡単な説明】
【０００８】
【図１】図１はｐＨ調整槽の断面構成図であり、ｐＨ計は計量ポジションにある。
【図２】図２はｐＨ調整槽を図１と９０異なる位置で断面にした断面構成図である。
【図３】図３はｐＨ調整槽の平面構成図であり、これを構成する受けカップ体は上昇位置にあり、ｐＨ計の記載は省略している。
【図４】図４はｐＨ調整槽の断面構成図であり、ｐＨ計は洗浄ポジションにある。
【図５】図５はｐＨ調整槽の断面構成図であり、ｐＨ計は校正ポジションにある。
【図６】図６はｐＨ計量槽を構成する受けカップ体及びウエイト体の構成を示した要部斜視構成図である。
【発明を実施するための形態】
【０００９】
以下、図１〜図６に基づいて、この発明の典型的な実施の形態について、説明する。この実施の形態にかかるｐＨ計量槽は、排水の処理ラインを構成するものであって、この処理ラインを構成する図示しないｐＨ調整槽の下流に位置してこのｐＨ調整槽において処理された処理水Ｗの水素イオン指数（ｐＨ）を計量するものである。典型的には、かかるｐＨ計量槽は、前記処理水ＷのｐＨのモニタリングシステムを構成するものである。
【００１０】
かかるｐＨ計量槽は、ｐＨ計１と、このｐＨ計１の昇降支持手段２と、標準液の供給手段３と、この標準液の受けカップ体４と、洗浄手段５とを含んで構成されている。図示の例では、ｐＨ計量槽の槽部６は、横断面形状を長方形状とした上面開口６ａの箱状を呈するように構成されている。この槽部６の幅側の両側部６ｂ、６ｂの一方に底部６ｄとの間に一定の間隔を開けて処理水Ｗの流入部７が設けられていると共に、かかる幅側の両側部６ｂ、６ｂの他方に底部６ｄとの間に一定の間隔を開けて処理水Ｗの流出部８が設けられている。流入部７の下端と流出部８の下端とを結ぶ線分位置が、概ね、槽部６内の処理水Ｗの液面Ｗａのレベルとなっている。
【００１１】
ｐＨ計１は、その下端部に、電極１ａを有した、棒状をなすように構成されている。ｐＨ計１は、この電極１ａをｐＨ計量槽にある処理水Ｗに漬けた計量ポジションにおいて、すなわち、前記液面Ｗａ下に電極１ａを位置させた状態において、処理水ＷのｐＨを計測できるように構成されている。（図１）図中符号１ｂは、かかる電極１ａの保護カバーである。かかるｐＨ計１は、ガラス電極法に基づくものとなっている。
【００１２】
昇降支持手段２は、前記ｐＨ計１を、前記計量ポジション、前記電極１ａを前記処理水Ｗの液面Ｗａ上に位置させる洗浄ポジション（図４）、及びこの電極１ａを洗浄ポジションよりも上方に位置させる校正ポジション（図５）のいずれか一つのポジションに位置づけさせると共に、各ポジション間に亘る上下動可能に支持するものである。
【００１３】
図示の例では、昇降支持手段２は、支持部２ａと、パワーシリンダ２ｆとから構成されている。支持部２ａは、左右一対のポール体２ｂ、２ｂと、この一対のポール体２ｂ、２ｂの上端間に亘るビーム体２ｃと、この一対のポール体２ｂ、２ｂの下端側においてこの一対のポール体２ｂ、２ｂ間に亘る架橋体２ｄとからなる。支持部２ａは、一対のポール体２ｂ、２ｂの下端をそれぞれ、槽部６の開口６ａをビーム体２ｃ及び架橋体２ｄが横切るように、槽部６の開口縁部に固着することで、槽部６上に配されている。図示の例では、この支持部２ａによって、ｐＨ計１は槽部６の略中央となる位置に、上下動可能に支持されている。具体的には、ビーム体２ｃと架橋体２ｄの長さ方向略中程の位置にはそれぞれ、間にｐＨ計１を通す間隔を開けて配された三つの支持ロール２ｅ…２ｅが設けられており、ｐＨ計１はビーム体２ｃの支持ロール２ｅと架橋体２ｄの支持ロールと２ｅによって上下二箇所で支持されるようになっている。パワーシリンダ２ｆは、プランジャーロッド２ｇを上下動させるように、支持部２ａに隣り合う位置において、槽部６上に配されている。図示の例では、槽部６の開口６ａを横切るようにこの槽部６の開口６ａ側に架設されたアングル材９にシリンダ２ｈにおけるプランジャーロッド２ｇの突出側と反対の端部側を固定させることで、槽部６上にパワーシリンダ２ｆが配されている。プランジャーロッド２ｇはｐＨ計１に固定されており、プランジャーロッド２ｇの突出量を変えることで、ｐＨ計１を前記各ポジション間に亘って上下動させることができるようになっている。
【００１４】
標準液の供給手段３は、前記電極１ａに対する標準液校正をなすための標準液を、後述する受けカップ体４に供給するものである。図示の例では、前記アングル材９を前記支持部２ａとの間に挟むようにして、槽部６の開口６ａを横切るようにこの槽部６の開口６ａ側に追加アングル材１０が架設されていると共に、前記アングル材９と追加アングル材１０との間に上端部を納めてこれらに固着されて垂下されるブラケット１１が槽部６内においてｐＨ計１の側方に位置されるように設けられている。そして、このブラケット１１を利用して前記供給手段３としての標準液の供給管３ａが槽部６内に配されている。この供給管３ａの端末は、後述する上昇位置にある受けカップ体４の直上に位置されるようになっている。
【００１５】
標準液の受けカップ体４は、前記電極１ａの移動軌跡の側方において水平軸１２をもって、カップ開口４ａを横に向けた下降位置からカップ開口４ａを上方に向けた上昇位置との間に亘る回動可能に、支持されている。
【００１６】
図示の例では、前記槽部６内において、ｐＨ計１を前記ブラケット１１との間に挟むようにして、この槽部６の長さ側の両側部をもって水平軸１２が軸支されている。図中符号１３はかかる水平軸１２の軸受け部である。
【００１７】
そして、この受けカップ体４のカップ開口４ａは、前記電極１ａが計量ポジションと洗浄ポジションにあるときは前記移動軌跡の側方に位置されると共に、（図１、図４）前記電極１ａが校正ポジションに移動したときに下降位置にある受けカップ体４が上昇位置に回動してこの受けカップ体４内に電極１ａが位置されるようになっている。（図５）
【００１８】
図示の例では、受けカップ体４は、円形のカップ底４ｂとこれを取り巻く円筒状のカップ側部４ｃとを備えた構成となっている。
【００１９】
また、前記水平軸１２を挟んだ一方側にこの水平軸１２の他方側に位置される受けカップ体４と一体をなすウエイト体１４が備えられていると共に、計量ポジション及び洗浄ポジションにおいてｐＨ計１側の一部が受けカップ体４側の一部に当接してウエイト体１４を受けカップ体４よりも上方に位置させるようにして受けカップ体４が位置づけられ、且つ、洗浄ポジションにある電極１ａが校正ポジションに上昇する過程において前記当接が解かれるようになっている。
【００２０】
図示の例では、受けカップ体４のカップ側部４ｃに設けた枠状部材４ｄと、ウエイト体１４に連接された枠状部材１４ａとをボルト１５により止め合わせることで、受けカップ体４とウエイト体１４とが一体化されている。このように組み合わされた受けカップ体４とウエイト体１４は固定金具１６をもって水平軸１２と一体化されている。また、このように組み合わされた受けカップ体４とウエイト体１４の重心はウエイト体１４の側にあるようにしてある。
【００２１】
また、水平軸１２の長さ方向略中程の位置には、この水平軸１２と一体にこの水平軸１２に直交する向きに突き出す一対の支持腕１７、１７が設けられていると共に、この一対の支持腕１７、１７間に当接ローラ１８が支持されている。この当接ローラ１８は受けカップ体４のカップ開口４ａ上に位置されている。
【００２２】
一方、ｐＨ計１の下端部側には、カム面構成部材１９が備えられている。カム面構成部材１９は、ｐＨ計１における水平軸１２側に向けられた側部に取り付けられている。このカム面構成部材１９は、ｐＨ計１の軸中心線１ｃとの間に間隔を開け且つこの軸中心線１ｃに略平行をなす第一カム面１９ａと、この第一カム面１９ａの下端に連続して電極１ａ側に向かうに連れて前記軸中心線１ｃに近づくように傾斜した第二カム面１９ｂとを備えている。
【００２３】
そして、前記当接ローラ１８は、ｐＨ計１の上下動の過程において、第一カム面１９ａ及び第二カム面１９ｂのいずれかに接するようになっている。すなわち、図示の例では、かかる当接ローラ１８が受けカップ体４側の前記一部であり、カム面構成部材１９がｐＨ計１側の前記一部となっている。
【００２４】
ｐＨ計１が計量ポジション及び洗浄ポジションにあるとき、当接ローラ１８は第一カム面１９ａに接し受けカップ体４は下降位置に位置づけられ、ウエイト体１４はこの受けカップ体４の直上に位置される。（図１、図４）洗浄ポジションにあるウエイト体１４を校正ポジションに上昇させると、当接ローラ１８は第一カム面１９ａの下端下に入り込み、第二カム面１９ｂの傾斜によって受けカップ体４の上昇位置への回動が許容され、前記重心はウエイト体１４の側にあることから受けカップ体４はこの上昇位置に強制的に回動される。すなわち、この実施の形態にあっては、受けカップ体４の回動は別段の動力を必要とせずにｐＨ計１の上下動に連動してなされるようになっている。図中符号２０で示すのは、上昇位置にある受けカップ体４のカップ開口４ａの縁部に対し前記水平軸１２の側と反対の側で上方から突き当たってこの受けカップ体４のそれ以上の回動を阻止する阻止部材である。
【００２５】
洗浄手段５は、前記洗浄ポジションに電極１ａがあるときにこの電極１ａ及び受けカップ体４に対し洗浄水を噴射するものである。図示の例では前記ブラケット１１を利用して槽部６内に、洗浄ポジションにある電極１ａに洗浄水を指向させる洗浄手段５を構成する第一ノズル５ａと、このとき下降位置に位置づけられる受けカップ体４のカップ底４ｂに洗浄水を指向させる洗浄手段５を構成する第二ノズル５ｂとが設けられている。図中符号５ｃで示すのはこれらのノズルを端末に位置させた洗浄水の供給管である。
【００２６】
ｐＨ計１の電極１ａに対する標準液校正の必要が生じたとき、典型的には直近の標準液校正をしたときから一定期間が経過したときは、ｐＨ計量槽への処理水Ｗの流入を停止させた状態から、先ず、昇降支持手段２により計量ポジションに支持していたｐＨ計１を洗浄ポジションに移動させる。次に、洗浄手段５によりｐＨ計１の電極１ａ及び下降位置にある受けカップ体４に洗浄水を噴射して両者を洗浄する。下降位置において受けカップ体４はカップ開口４ａを横に向けるので受けカップ体４内を洗浄した洗浄水は受けカップ体４内に残らずに流下される。次に、昇降支持手段２により洗浄ポジションに支持していたｐＨ計１を校正ポジションに移動させる。次に標準液を供給する。ｐＨ計１が校正ポジションにあるとき受けカップ体４はカップ開口４ａを上方に向けた上昇位置に移行し、受けカップ体４内に前記電極１ａを位置させることから、受けカップ体４内に供給される標準液を蓄えると共に、この標準液に電極１ａを侵漬させる。標準液校正は二種類の標準液に電極１ａを侵漬させてなすことから、一種類目の標準液に電極１ａを侵漬させた後は、昇降支持手段２により校正ポジションに支持していたｐＨ計１を洗浄ポジションに移動させる。この移動に伴い受けカップ体４は下降位置に回動し受けカップ体４内にあった一種類目の標準液は流下される。そして、洗浄手段５によりｐＨ計１の電極１ａ及び下降位置にある受けカップ体４に洗浄水を噴射して両者を洗浄する。この後、再び、昇降支持手段２により洗浄ポジションに支持していたｐＨ計１を校正ポジションに移動させ二種類目の標準液を供給しこの二種類目の標準液に電極１ａを侵漬させる。これにより標準液校正が完了される。次いで、昇降支持手段２により校正ポジションに支持していたｐＨ計１を洗浄ポジションに移動させ二種類目の標準液を流下させた後再び洗浄手段５によりｐＨ計１の電極１ａ及び下降位置にある受けカップ体４に洗浄水を噴射して両者を洗浄する。最後に昇降支持手段２により洗浄ポジションに支持していたｐＨ計１を計量ポジションに移動させこれにより初期状態への復帰がなされる。
【符号の説明】
【００２７】
１  ｐＨ計
１ａ  電極
２  昇降支持手段
３  供給手段
４  受けカップ体
５  洗浄手段
Ｗ  処理水
Ｗａ  液面
【図１】
2012026904.tif 000003
【図２】
2012026904.tif 000004
【図３】
2012026904.tif 000005
【図４】
2012026904.tif 000006
【図５】
2012026904.tif 000007
【図６】
2012026904.tif 000008